(57)【特許請求の範囲】
【請求項１】
上部表示部と下部表示部に分割された表示部と、映像データをフレームごとに交互に書き込み、且つ、書き込まれた前記映像データを前記上部表示部と前記下部表示部のそれぞれに上部表示データ及び下部表示データとして供給する第１と第２のフレームメモリと、を備え、
前記表示部に、Ｎフレーム／秒の前記映像データを２Ｎフレーム／秒の表示周期で表示する表示装置の表示方法であって、
前記上部表示部に前記第１のフレームメモリからのＩ＋１番目のフレームの映像データの前記上部表示データを走査している時、前記下部表示部には前記第２のフレームメモリからの前記Ｉ＋１番目のフレームより一つ前のＩ番目のフレームの映像データの前記下部表示データを走査し、前記第２のフレームメモリの前記上部表示データを前記Ｉ＋１番目のフレームより一つ後のＩ＋２番目のフレームの映像データの前記上部表示データに書き換える第１の工程と、
前記上部表示部に前記第１のフレームメモリからのＩ＋１番目のフレームの映像データの前記上部表示データを走査している時、前記下部表示部には前記第１のフレームメモリからの前記Ｉ＋１番目のフレームの映像データの前記下部表示データを走査し、前記第２のフレームメモリの前記下部表示データを前記Ｉ＋２番目のフレームの映像データの前記下部表示データに書き換える第２の工程と、
前記上部表示部に前記第２のフレームメモリからの前記Ｉ＋２番目のフレームの映像データの前記上部表示データを走査している時、前記下部表示部には前記第１のフレームメモリからの前記Ｉ＋１番目のフレームの映像データの前記下部表示データを走査し、前記第１のフレームメモリの前記上部表示データを前記Ｉ＋２番目のフレームより１つ後のＩ＋３番目のフレームの映像データの前記上部表示データに書き換える第３の工程と、
前記上部表示部に前記第２のフレームメモリからの前記Ｉ＋２番目のフレームの映像データの前記上部表示データを走査している時、前記下部表示部には前記第２のフレームメモリからの前記Ｉ＋２番目のフレームの映像データの前記下部表示データを走査し、前記第１のフレームメモリの前記下部表示データを前記Ｉ＋３番目のフレームの映像データの前記下部表示データに書き換える第４の工程と、
を順に行うことを特徴とする表示方法。
【発明の詳細な説明】
【技術分野】
【０００１】
本発明は、画像を表示する表示方法、特に、上下２画面分割したマトリックス型表示方法に関するものである。
【背景技術】
【０００２】
電子銃によって電子をスクリーン上の蛍光体に衝突させ、そのエネルギーで蛍光体を発光させるブラウン管（ＣＲＴ：Cathode Ray Tube）は、表示品質とコストの点で優れており、長い間テレビやパソコン等の表示装置として使用されてきた。
【０００３】
近年、重くかさ高いＣＲＴから省スペース利便性、携帯性を重視するフラットパネルディスプレイ（ＦＰＤ：Flat Panel Display）の研究開発が進み、製品化もなされている。ＦＰＤには、非発光型の液晶ディスプレイや自発光型のプラズマディスプレイ(ＰＤ)、フィールドエミッションディスプレイ(ＦＥＤ)、有機ＥＬ（Electro Luminescence）ディスプレイ等がある。
【０００４】
駆動方式でみると、パッシブマトリクス駆動とアクティブマトリクス駆動の二つに大別することができる。パッシブマトリクス駆動は構造がシンプルであり、列と行に分けた信号電極と走査電極の交点の電極間に電圧を与え、その間に挟まれた画素を発光させるものである。パッシブマトリクス駆動方式は小画面の液晶ディスプレイや有機ＥＬディスプレイ等に採用されている。また、この駆動方式は大画面でもＰＤやＦＥＤ等に採用されている。
【０００５】
一方、アクティブマトリクス駆動は、それぞれの画素に数個のＴＦＴ（Thin Film Transistor）とデータ記憶用のキャパシターを必要とするが、パッシブマトリクス駆動に比べて反応速度が速い。また、大画面にすると、駆動電圧やエネルギー消費の点で優位である。大画面の液晶ディスプレイや有機ＥＬディスプレイにはこの駆動方式が採用されている。
【０００６】
ところで、ＦＰＤの大画面化、高精細化の要求は益々大きくなりつつある。大画面化、高精細化に伴い、パシッブマトリクス駆動を採用しているＰＤやＦＥＤでは、各画素の表示時間が短くなる。また、次の表示までの時間が空いてしまう事から、特に暗い動画像を表示した場合にちらつき（フリッカー）が目立つという問題がある。それを解決するには、単位時間に対する表示回数を増やす必要がある。
【０００７】
一方、アクティブマトリクス駆動においては、一走査期間の間、各画素を点灯し続けているため動画像がぼけるという問題がある。その解決方法として走査の合間に黒の表示を入れて動画像を引き締める方法がある。大画面化、高精細化に伴い、同じく単位時間に対する黒の表示回数を増やす必要がある。
【０００８】
そこで、単位時間に対する表示能力の低いディスプレイを用いて単位時間に対する表示回数を増やし高精細化を図る問題に対して、以下に説明する駆動方法が提案されている。なお、これは、例えば、分割駆動しない場合の表示能力がｎフレーム／秒のディプレイを用いて２ｎフレーム／秒の映像データを２ｎフレーム／秒の表示分解能で表示する場合である。
【０００９】
このような問題に対して、画面を上下２分割、即ち、信号線を表示画面の上半分と下半分で分割してそれぞれの画面の上半分と下半分を独立に駆動する。そして、信号線を分割しない場合に比べて単位時間に対する各画素への書き込み時間を２倍にする方法が提案されている。
【００１０】
しかしながら、この分割駆動方式は分割部分で分割縞妨害という画像の歪みが生じ、なめらかな動画像表示ができないという一般的な問題がある。図８を用いて分割縞妨害について説明する。
【００１１】
図８（ａ）に示すように映像データで映される物体が画面上を１フレームの表示時間の中にａからｂの位置に移動したとする。また、図８（ｂ）に示すようにその動画像を中央の画面分割線を境に上下２分割したディスプレイで表示するものとする。
【００１２】
図８（ｂ）は上下画面ともＩフレームの映像データの上から、Ｉ＋１フレームの映像データが上書きされていく様子を示している。上下画面のそれぞれの破線部分が、データが上書きされている部分で、物体が移動した分、映像データが切れているが、この部分は順次上書きされていくので、高速に走査した場合には、人間の目にはつながって見える。
【００１３】
しかしながら、画面分割線の位置では、新しいフレームの映像データの書き込みが始まると、上画面と下画面で移動した分、物体に切れ目が生じ、この部分は走査中変わらない。従って、順次新しい映像データを上書きしていくと、人間の目には物体が切れたまま、移動しているように見えてしまう。これが分割縞妨害と呼ばれる現象である。この分割縞妨害はいくら高速に走査しても、このままの表示方法では解決できない。
【００１４】
この分割縞妨害を解決する方式として、例えば、特開平１０−２６８２６１号公報に開示された方式がある（特許文献１）。即ち、図８（ｃ）に示すように常に上画面と下画面で１フレーム分ずらして表示する。上画面ではＩ＋１フレームの映像データが表示されている上にＩ＋２フィールドの映像データを上書きしていく。一方、下画面ではＩフレームの映像データが表示されている上にＩ＋１フレームの映像データを上書きしていく。
【００１５】
破線の走査部分では、図８（ｂ）の場合と同じく１フレーム分の物体の移動分、物体が切れているが、この部分は順次上書きされていくので、高速に走査した場合には人間の目にはつながって見える。また、画面分割の位置では上下画面ともＩ＋１フレームの同じフレームの映像データを表示しているので、物体の切れ目は生じない。これにより分割縞妨害による画像歪みを解消できる。
【００１６】
図９、図１０を用いて図８の方式の具体的な動作を説明する。まず、図９に示すようにビデオ信号等の映像信号２５はＡ／Ｄ変換器２６で各画素のデジタルデータに変換される。デジタル映像データはフレーム毎に切り替えスイッチ２７で切り替えられ、２つのフレームメモリ２８と２９に交互に格納される。
【００１７】
フレームメモリ２８と２９はそれぞれ、２８ａと２８ｂ、２９ａと２９ｂの分割駆動する表示画面の上画面３１と下画面３２に対応して分かれている。そして、スイッチ３０により切り替えることで、そこに記録されている映像データは２分割駆動する上画面３１と下画面３２にそれぞれ送られ、図示しない駆動回路によってデータの上書き表示がなされていく。
【００１８】
ここで、分割しない場合のディスプレイの表示能力はｎフレーム／秒とする。映像信号２５は２ｎフレーム／秒の映像データである。この例では、フレームメモリに映像データを書き込む速度は２ｎフレーム／秒になるのに対して、フレームメモリから映像データを読み出す速度はｎフレーム／秒になる。つまり、この方式では２分割することでディスプレイの各画素に書き込む時間が遅くても、２ｎフレーム／秒の映像データを表示できる。
【００１９】
今、図９では切り替えスイッチ２７がフレームメモリ２９に接続され、Ｉ＋１フレームの映像データが記憶されたフレームメモリ２９上にＩ＋３フレームの映像データが上書きされつつあるとする。フレームメモリ２８にはＩ＋２フレームの映像データがすでに格納されている。
【００２０】
読み出しの切り替えスイッチ３０はフレームメモリ２８の上画面のデータ領域２８aと表示画面の上画面３１を接続し、フレームメモリ２９の下画面のデータ領域２９ｂと表示画面の下画面３２を接続している。この状態では、表示画面の上画面３１ではＩ＋１フレームの映像データにＩ＋２フレームの映像データが上書きされ、下画面３２ではＩフレームの映像データにＩ＋１フレームの映像データが上書きされている。丁度、図８（ｃ）に示す表示となっている。
【００２１】
次に、Ｉ＋３フレームの映像データをフレームメモリ２９に格納し終えると、図１０に示すように記録の切り替えスイッチ２７によって切り替えられ、フレームメモリ２８に接続される。そして、Ｉ＋４フレーム目の映像データをＩ＋２フレームの映像データに上書きしていく。
【００２２】
また、読み取りの切り替えスイッチ３０はフレームメモリ２８の下画面のデータ領域２８ｂと表示画面の下画面３２を接続し、フレームメモリ２９の上画面のデータ領域２９ａと表示画面の上画面３１を接続する。この状態では、表示画面の上画面３１ではＩ＋２フレームの映像データにＩ＋３フレームの映像データが上書きされ、下画面３２ではＩ＋１フレームの映像データにＩ＋２フレームの映像データが上書きされている。図９に示す表示からそれぞれの領域で１フレーム分の映像データが上書きされていくのが分かる。
【特許文献１】特開平１０−２６８２６１号公報
【発明の開示】
【発明が解決しようとする課題】
【００２３】
上述のように従来技術においては、順次、人間の目で見て物体が切れることなく映像データを表示できる。しかしながら、図９、図１０のどちらにおいても同時に３フレームのデータが表示されており、２ｎフレーム／秒の表示能力のある分割されていないディスプレイでは同時に２フレームの映像データしか表示されない。
【００２４】
そのため、この方式では分割していないものに対して表示分解能が低下してしまうという欠点がある。つまり、表示能力の劣るディスプレイを用いて分割駆動して２倍の表示能力を得られるが、実際の表示分解能は２倍の表示能力のあるディスプレイに対して劣ってしまう。
【００２５】
その場合、具体的には、大画面のディスプレイであっても、表示品質の高いＣＲＴで表示すれば、６０フレーム／秒の表示で人間の目には十分に動画像が滑らかにうつる。しかし、ＰＤやＦＥＤ等の場合には、６０フレーム／秒の表示ではフリッカーが目立ち、また、液晶ディスプレイや有機ＥＬディスプレイ等では、画像がぼやけてしまうという問題があった。
【００２６】
本発明の目的は、Ｎフレーム／秒の映像信号をＮフレーム／秒の表示分解能を維持したまま各画素への書き込み回数を２Ｎ回／秒とし、フリッカーや画像のぼやけを抑制可能な表示装置及び方法を提供することにある。
【課題を解決するための手段】
【００２７】
本発明は、上部表示部と下部表示部に分割された表示部と、映像データをフレームごとに交互に書き込み、且つ、書き込まれた前記映像データを前記上部表示部と前記下部表示部のそれぞれに上部表示データ及び下部表示データとして供給する第１と第２のフレームメモリと、を備え、
前記表示部に、Ｎフレーム／秒の前記映像データを２Ｎフレーム／秒の表示周期で表示する表示装置の表示方法であって、
前記上部表示部に前記第１のフレームメモリからのＩ＋１番目のフレームの映像データの前記上部表示データを走査している時、前記下部表示部には前記第２のフレームメモリからの前記Ｉ＋１番目のフレームより一つ前のＩ番目のフレームの映像データの前記下部表示データを走査し、前記第２のフレームメモリの前記上部表示データを前記Ｉ＋１番目のフレームより一つ後のＩ＋２番目のフレームの映像データの前記上部表示データに書き換える第１の工程と、
前記上部表示部に前記第１のフレームメモリからのＩ＋１番目のフレームの映像データの前記上部表示データを走査している時、前記下部表示部には前記第１のフレームメモリからの前記Ｉ＋１番目のフレームの映像データの前記下部表示データを走査し、前記第２のフレームメモリの前記下部表示データを前記Ｉ＋２番目のフレームの映像データの前記下部表示データに書き換える第２の工程と、
前記上部表示部に前記第２のフレームメモリからの前記Ｉ＋２番目のフレームの映像データの前記上部表示データを走査している時、前記下部表示部には前記第１のフレームメモリからの前記Ｉ＋１番目のフレームの映像データの前記下部表示データを走査し、前記第１のフレームメモリの前記上部表示データを前記Ｉ＋２番目のフレームより１つ後のＩ＋３番目のフレームの映像データの前記上部表示データに書き換える第３の工程と、
前記上部表示部に前記第２のフレームメモリからの前記Ｉ＋２番目のフレームの映像データの前記上部表示データを走査している時、前記下部表示部には前記第２のフレームメモリからの前記Ｉ＋２番目のフレームの映像データの前記下部表示データを走査し、前記第１のフレームメモリの前記下部表示データを前記Ｉ＋３番目のフレームの映像データの前記下部表示データに書き換える第４の工程と、
を順に行うことを特徴とする。
【発明の効果】
【００２８】
本発明によれば、２分割駆動する表示画面に対してＮフレーム／秒の映像データをＮフレーム／秒の表示分解能を維持したままで、各画素に書き込む回数を２Ｎ回／秒とすることができる。このため、ＰＤやＦＥＤ等を用いた場合にはフリッカーを抑えられ、液晶ディスプレイや有機ＥＬディスプレイ等を用いた場合には画像のぼけを抑えることが可能となる。
【発明を実施するための最良の形態】
【００２９】
次に、発明を実施するための最良の形態について図面を参照して詳細に説明する。図１は本発明に係る表示装置の一実施形態を示すブロック図である。表示装置１は少なくとも表示制御部３、Ａ／Ｄ変換回路とサンプリング回路の機能を有するブロック４を有する。このブロック４を簡単のためＡ／Ｄ変換回路４という。
【００３０】
更に、バッファメモリ５、上側用Ｘドライバ６、下側用Ｘドライバ７、Ｙドライバ８及び表示部９を有する。表示部９は複数の発光素子とその駆動回路等を含む画素がマトリックス配置された上下２分割駆動の表示部である。表示部９には、ＰＤやＦＥＤ或いは液晶ディスプレイや有機ＥＬディスプレイ等が用いられる。
【００３１】
表示制御部３は装置内の各部を制御する制御回路であり、外部から入力される映像信号２を各画素毎のデジタルデータに変換するための制御を行う。また、マトリックス型で信号線を表示画面の上半分と、下半分で分割してそれぞれの画面の上半分と下半分を独立に駆動して表示部９に表示する一連の操作を制御する。
【００３２】
映像信号２はビデオ信号等のアナログ信号であっても、ＤＶＤ等のデジタル信号であっても良い。映像信号２が表示装置１に入力されると、表示制御部３からの指示に従いＡ／Ｄ変換回路４によって各画素の表示データに変換される。各画素の表示データはバッファメモリ５に格納される。
【００３３】
一方、バッファメモリ５に格納されている各画素の表示データは、表示制御部３の指示に従って読み出され、上側Ｘドライバ６、下側Ｘドライバ７及びＹドライバ８によって表示部９に対して上下２分割の独立した走査を行う。この走査により画像の表示を行う。上側Ｘドライバ６は２分割された上画面の水平方向の走査を行い、下側Ｘドライバ７は下画面の水平方向の走査を行う。Ｙドライバ８は表示画面の垂直方向の走査を行う。
【００３４】
図２は本発明の表示方法を説明するタイミングチャートである。図２（ａ）はＮフレーム／秒の映像データの流れを示すものである。一つの矩形信号で一フレーム分の映像データを示すものとする。また、Ｉ番目のフレームからＩ＋３番目のフレームデータが流れてきたとする。
【００３５】
図２（ｂ）は図２（ａ）に対して２倍の２Ｎフレーム／秒の表示を行う場合の表示期間を示している。一矩形信号は一走査期間を示すものとする。Ｔ１からＴ４の時刻のそれぞれにおいて、表示装置１での映像データの流れを図３から図６を用いて詳しく説明する。なお、図１の構成要素と図３から図６の構成要素との対応関係については後述する。
【００３６】
まず、図３から図６に示すように映像信号１０はＡ／Ｄ変換回路とサンプリング回路の機能を有する画素データ変換回路１１によって各画素のデジタルデータに変換される。変換されたデジタル映像データはフレーム毎に切り替えスイッチ１２によって切り替えられ、第１のフレームメモリ１３と第２のフレームメモリ１４に交互に格納される。つまり、第１、第２のフレームメモリに対してＮフレーム／秒の映像データがフレーム毎に順次切り替えて格納される。
【００３７】
第１のフレームメモリ１３と第２のフレームメモリ１４は、それぞれ１３ａと１３ｂ、１４ａと１４ｂに分かれていて、１３ａと１４ａはそれぞれ１フレーム分の上画面用の映像データのデータ格納領域を示す。１３ｂと１４ｂはそれぞれ１フレーム分の下画面用の映像データのデータ格納領域を示す。それぞれ独立に映像データを読み出すことができる。
【００３８】
つまり、第１、第２のフレームメモリ１３、１４は、それぞれ、上部表示データと下部表示データが独立に読み出される。また、第１、第２のフレームメモリ１３と１４で映像データを書き込む速度と読み出す速度は同じとする。
【００３９】
更にスイッチ１５を切り替えることで、１３ａと１４ａのどちらか或いは１３ｂと１４ｂのどちらかに記録されている映像データを、２分割駆動する表示画面の上画面１６と下画面１７にそれぞれ送ることができる。つまり、第１、第２のフレームメモリに格納された映像データは上部表示データ及び下部表示データとしてそれぞれ独立に切り替えて上部表示部と下部表示部に供給される。そして、図示しない駆動回路によってデータの上書き表示がなされていく。
【００４０】
切り替えスイッチ１２と１５及びフレームメモリ１３と１４は、図１に示すバッファメモリ５に対応し、図３等では省略しているが表示制御部３の制御によりスイッチ１２と１５の制御を行う。
【００４１】
また、上画面１６と下画面１７は図1に示す上側Ｘドライバ６、下側Ｘドライバ７、Ｙドライバ８及び表示部９に対応する。そして、表示制御部３から送られてくる制御信号に従い、上側Ｘドライバ６、下側Ｘドライバ７、Ｙドライバ８により駆動することで分割した映像を表示する。
【００４２】
ここで、分割しない場合のディスプレイの表示能力はＮフレーム／秒とする。映像信号２はＮフレーム／秒の映像データである。本発明では、フレームメモリに映像データを書き込む速度はＮフレーム／秒になるのに対して、フレームメモリから映像データを読み出す速度もＮフレーム／秒になる。上述のような従来例と異なり、２分割することで、単位時間にディスプレイの各画素に書き込む回数を２倍の２Ｎ回／秒にしている。
【００４３】
まず、図３は図２における時刻Ｔ１の時の状態を示す。今、図３では切り替えスイッチ１２は第１のフレームメモリ１４に接続され、Ｉフレームの映像データが記憶されている第２フレームメモリ１４上にＩ＋２フレームの映像データの上画面部分が上書きされつつある。この時、第１のフレームメモリ１３にはＩ＋１フレームの映像データがすでに格納されている。
【００４４】
一方、読み出しの切り替えスイッチ１５は、第１のフレームメモリ１３の上画面のデータ格納領域１３ａと表示画面の上画面１６を接続し、第２のフレームメモリ１４の下画面１７のデータ格納領域１４ｂと表示画面の下画面１７を接続している。この状態では、表示画面の上画面１６ではＩフレームの映像データにＩ＋１フレームの映像データが上書きされ、下画面１７ではＩフレームの映像データに同じくＩフレームの映像データが上書きされている。表示されているのは２フレーム分である。
【００４５】
図４は時刻Ｔ２の時の状態を示す。図４では切り替えスイッチ１２はそのまま第２のフレームメモリ１４に接続され、Ｉフレームの映像データが記憶されている第２フレームメモリ１４上にＩ＋２フレームの映像データの下画面部分が上書きされつつある。第１のフレームメモリ１３には、そのままＩ＋１フレームの映像データが格納されている。
【００４６】
読み出しの切り替えスイッチ１５は、第１のフレームメモリ１３の上画面のデータ格納領域１３aと表示画面の上画面１６を接続したままになっていて、第１のフレームメモリ１３の下画面のデータ格納領域１３ｂと表示画面の下画面１７を接続している。この状態では、上画面１６ではＩ＋１フレームの映像データに同じＩ＋１フレームの映像データが上書きされ、下画面１７ではＩフレームの映像データにＩ＋１フレームの映像データが上書きされている。同様に表示されているのは、２フレーム分である。
【００４７】
図５は時刻Ｔ３の時の状態を示す。図５では切り替えスイッチ１２は第１のフレームメモリ１３に切り替わり、Ｉ＋１フレームの映像データが記憶されている第１フレームメモリ１３上にＩ＋３フレームの映像データの上画面部分が上書きされつつある。この時、第２のフレームメモリ１３にはＩ＋２フレームの映像データがすでに格納されている。
【００４８】
読み出しの切り替えスイッチ１５は、第２のフレームメモリ１４の上画面のデータ格納領域１４ａと上画面１６を接続し、第１のフレームメモリ１３の下画面のデータ格納領域１３ｂと下画面１７を接続している。この状態では、上画面１６ではＩ＋１フレームの映像データにＩ＋２フレームの映像データが上書きされ、下画面１７ではＩ＋１フレームの映像データに同じくＩ＋１フレームの映像データが上書きされている。表示されているのは２フレーム分である。
【００４９】
最後に、図６は時刻Ｔ４の時の状態を示す。図６では切り替えスイッチ１２はそのまま第１のフレームメモリ１３に接続され、Ｉ＋１フレームの映像データが記憶されている第１フレームメモリ１３上にＩ＋３フレームの映像データの下画面部分が上書きされつつある。第２のフレームメモリ１４にはそのままＩ＋２フレームの映像データが格納されている。
【００５０】
読み出しの切り替えスイッチ１５は、第２のフレームメモリ１４の上画面のデータ格納領域１４ａと表示画面の上画面１６を接続したままになっていて、第２のフレームメモリ１４の下画面のデータ格納領域１４ｂと下画面１７を接続している。この状態では、上画面１６ではＩ＋２フレームの映像データに同じＩ＋２フレームの映像データが上書きされ、下画面１７ではＩ＋１フレームの映像データにＩ＋２フレームの映像データが上書きされている。同様に表示されているのは２フレーム分である。
【００５１】
図３から図６に示すデータの流れでは、Ｎフレーム／秒の映像データで２フレーム分をフレームメモリに記憶し、更に読み出して分割表示している。図３から図６の二分割表示部（上画面１６と下画面１７）を見ると、２フレーム分の新しい映像データが表示されていて、物体の切れ目は分割表示しないディスプレイを用いてＮフレーム／秒の表示を行った場合と同様に１箇所であることが分かる。つまり、Ｎフレーム／秒の表示分解能を保持したまま、各画素に映像データを書き込む回数を、２Ｎ回／秒と２倍にできたことになる。
【００５２】
図７は図３から図６に示す画像データの流れに対してフレームデータと表示データの関係を説明するタイミングチャートである。１８から２１はＩフレームからＩ＋３フレームを示しており、それぞれＤ０上とＤ０下、Ｄ１上とＤ１下、Ｄ２上とＤ２下、Ｄ３上とＤ３下の上画面データと下画面データよりなっている。
【００５３】
図７（ａ）は映像信号を示す。映像信号が送られてくるタイミングに対して、２２で示す一定時間の遅延の後に上部表示部（上画面１６）に対して図７（ｂ）の上部表示部の表示データが送られ、上部表示部に表示される。また、下部表示部（下画面１７）に対しては図７（ｃ）の下部表示部の表示データが送られ、下部表示部に表示される。
【００５４】
上部表示部と下部表示部の境での走査の連続性を考えると、下部表示部の走査の開始は上部表示部の最下位置の走査が終わったのに続いて、下部表示部の最上位置の走査を始めるようにした方が望ましい。
【００５５】
２２の遅延時間は、画素データ変換回路１１や第１のフレームメモリ１３及び第２のフレームメモリ１４のデータの書き込み、読み出しによって生じる装置固有の時間である。
【００５６】
本発明は図７（ｂ）、（ｃ）から分かるように２３の破線内に示すように上部表示部にＩ＋１フレームの上画面データが表示されている時に下部表示部に一つ前のＩフレームの下画面データを表示する第１の走査を行う。また、第１の走査に続いて、２４の破線内に示すように上部表示部にＩ＋１フレームの上画面データが表示されている時に下部表示部に同じＩ＋１フレームの下画面データを表示する第２の走査を行う。この第１の走査と第２の走査を繰り返し行う。このような走査を行うことにより図３から図６に示すような構成に限らなくても本発明は実施できる。
【００５７】
このように本発明の表示装置は、上部表示部１６と下部表示部１７に２分割された表示部９にＮフレーム／秒の映像データを２Ｎフレーム／秒の表示周期で表示する。また、Ｎフレーム／秒の映像データを表示部に２Ｎ回／秒の書き込みを行うための、映像データを書き込み、且つ、書き込まれた映像データを上部表示部、下部表示部にそれぞれ上部表示データ及び下部表示データとして供給するフレームメモリを備えている。
【００５８】
そして、上部表示部１６にフレームメモリからのＩ＋１番目のフレームの映像データの上部表示データを走査している時、下部表示部にはＩ＋１番目のフレームより一つ前のＩフレームの映像データの下部表示データを同時に走査する第１の走査を行う。更に、第１の走査に続いて、上部表示部にフレームメモリからのＩ＋１番目のフレームの映像データの上部表示データを走査している時、下部表示部にはＩ＋１フレームの映像データの下部表示データを同時に走査する第２の走査を行う。
【００５９】
また、本発明の表示方法は次のように行う。即ち上部表示部にフレームメモリからのＩ＋１番目のフレームの映像データの上部表示データを走査している時、下部表示部にはＩ＋１番目のフレームより一つ前のフレームのＩフレームの映像データの下部表示データを同時に走査する第１の工程を行う。その第１の工程に続いて、上部表示部にフレームメモリからのＩ＋１番目のフレームの映像データの上部表示データを走査している時、下部表示部にはＩ＋１フレームの映像データの下部表示データを同時に走査する第２の工程を行う。
【００６０】
本発明によれば、Ｎフレームの映像信号をＮフレーム／秒の表示分解能を維持したまま、各画素のへの書き込み回数を２Ｎ回／秒にすることができる。具体的には、６０フレーム／秒の映像データを本発明のような走査を行うことで、６０フレーム／秒の表示分解能を維持したまま、各画素に映像データを書き込む回数を１２０回／秒にすることができる。
【００６１】
そのため、ＰＤやＦＥＤ等ではフリッカーを抑えることができ、液晶ディスプレイや有機ＥＬディスプレイ等では画像のぼけを抑えることができる。また、更なる高精細化が進み、１２０フレーム／秒の映像データを１２０フレーム／秒の表示分解能を維持したまま、各画素に映像データを書き込む回数を２４０回／秒にする場合でも本発明を適応できることは明白である。
【図面の簡単な説明】
【００６２】
【図１】本発明に係る表示装置の一実施形態を示すブロック図である。
【図２】本発明の表示方式を説明するタイミングチャートである。
【図３】本発明の表示装置の時刻Ｔ１における状態を示す図である。
【図４】本発明の表示装置の時刻Ｔ２における状態を示す図である。
【図５】本発明の表示装置の時刻Ｔ３における状態を示す図である。
【図６】本発明の表示装置の時刻Ｔ４における状態を示す図である。
【図７】本発明に係る表示装置のフレームデータと表示データの関係を説明するタイミングチャートである。
【図８】分割縞妨害を説明する図である。
【図９】分割縞妨害を解決する従来方式を説明する図である。
【図１０】分割縞妨害を解決する従来方式を説明する図である。
【符号の説明】
【００６３】
１  表示装置
２  映像信号
３  表示制御部
４  Ａ／Ｄ変換回路
５  バッファメモリ
６  上側用Ｘドライバ
７  下側用Ｘドライバ
８  Ｙドライバ
９  表示部
１２  、１５  切り替えスイッチ
１３  第１のフレームメモリ
１４  第２のフレームメモリ
１６  上画面（上部表示部）
１７  下画面（下部表示部）
【図１】
0005094236.tif 000002
【図２】
0005094236.tif 000003
【図３】
0005094236.tif 000004
【図４】
0005094236.tif 000005
【図５】
0005094236.tif 000006
【図６】
0005094236.tif 000007
【図７】
0005094236.tif 000008
【図８】
0005094236.tif 000009
【図９】
0005094236.tif 000010
【図１０】
0005094236.tif 000011